(57)【要約】      （修正有）【課題】全体に扁平状を呈する商品を陳列するための商品陳列用具であって商品の傾斜陳列が可能でありまた前出しのための作業が容易である商品陳列用具を提供する。【解決手段】商品陳列用具１０は、段差をおいて同方向へ伸びる２つの平坦面２６、２８を有する載置部２２と、載置部を両平坦面が傾斜するように支持する基台部２４とを備える本体１６を含む。載置部の各平坦面上には複数の商品が各平坦面の伸長方向ｄへ互いに重なり合うように載置される。【選択図】図１
0003206414.tif 000002
【実用新案登録請求の範囲】
【請求項１】
全体に扁平状を呈する商品を陳列するために用いられる商品陳列用具であって、
本体を含み、
前記本体は、段差をおいて同方向へ伸びる２つの平坦面を有する載置部であって各平坦面上に複数の商品をこれらの商品が各平坦面の伸長方向へ互いに重なり合うように載置可能である載置部と、該載置部を両平坦面が傾斜するように支持する基台部とを備える、商品陳列用具。
【請求項２】
さらに、前記本体に折り畳み可能に取り付けられた脚であって前記本体を前記載置部の両平坦面が水平をなすように支持する脚を含む、請求項１の記載の商品陳列用具。
【請求項３】
さらに、前記本体の載置部に解除可能に取り付けられ両平坦面上をこれらの伸長方向へ伸びる少なくとも１つの仕切板を含む、請求項１又は２に記載の商品陳列用具。
【請求項４】
前記本体の載置部は、両平坦面の段差を規定しかつ両平坦面を相互に接続する接続面を有し、前記接続面は各平坦面に対して直交している、請求項１〜３のいずれか１項に記載の商品陳列用具。
【請求項５】
前記本体の載置部は、２つの前記商品陳列用具を互いに隣接するように配置するとき、互いに当接可能である側面を有する、請求項１〜４のいずれか１項に記載の商品陳列用具。
【請求項６】
前記本体の基台部は前記載置部の両平坦面に対してそれぞれ１５度の角度をなす底面を有する、請求項１〜５のいずれか１項に記載の商品陳列用具。
【考案の詳細な説明】
【技術分野】
【０００１】
本考案は、全体に扁平状を呈する商品、例えばおにぎりをコンビニエンスストアのような店舗に陳列するために用いられる商品陳列用具に関する。
【背景技術】
【０００２】
従来、コンビニエンスストアのような店舗に設置されるおにぎり陳列用棚が提案されている（後記特許文献１）。この陳列用棚は全体に板状を呈し、複数のおにぎりがこれらの側面を接して又は側面間に間隔をおいて横一列に並べて配置される複数列の溝を備える。各列の溝は、該溝に配置されるおにぎりをその正面が購買客から見てその手前側からその奥側に向けて傾斜するように陳列すること、すなわち傾斜陳列を可能とする横断面形状を有する。
【０００３】
ところで、前記従来の陳列用棚にあっては、おにぎりの補充のために行ういわゆる前出しにおいて、奥側の溝に残っているおにぎりを手前側の溝に移すのにおにぎりを一つ一つ持ち上げて行うという比較的煩雑な作業を伴うという問題がある。
【先行技術文献】
【特許文献】
【０００４】
【特許文献１】特開２０１５−２３８８５号公報
【考案の概要】
【考案が解決しようとする課題】
【０００５】
本考案の目的は、おにぎりのような全体に扁平状を呈する商品を陳列するための商品陳列用具であって商品の傾斜陳列が可能でありまた前出しのための作業が容易である商品陳列用具を提供することにある。
【課題を解決するための手段】
【０００６】
本考案に係る商品陳列用具は、段差をおいて同方向へ伸びる２つの平坦面を有する載置部であって各平坦面上に複数の商品をこれらの商品が各平坦面の伸長方向へ互いに重なり合うように載置可能である載置部と、該載置部を両平坦面が傾斜するように支持する基台部とを備える本体を含む。
【０００７】
本考案によれば、全体に扁平状を呈する複数の商品について、コンビニエンスストアのような店舗内に陳列することができる。複数の商品は、本体の載置部に設けられ段差をおいて同方向へ伸びる２つの平坦面上に、これらの伸長方向へ向けて互いに重なり合うように載置することができる。各平坦面上に載置された複数の商品は、前記載置部を支持する基台部を介して、購買客から見てその手前側から奥側に向けて下方へ傾斜するように陳列すること（傾斜陳列）が可能である。傾斜陳列をされた手前側の複数の商品と奥側の複数の商品との間には両平坦面の段差が存することから、奥側の商品の正面すなわち通常最も重要な商品情報が表示される面の一部又は全部が手前側の商品に隠れずに購買客に見えるものとすることができる。また、各平坦面は、前記商品の奥側から手前側への滑動を可能とし、これにより商品の補充のための商品の前出しを比較的容易に行うことができる。さらに、２つの平坦面に段差を設けることにより、購買客に対して、両平坦面上に陳列される商品の量に多さを感じさせるボリューム感や、賑やかさ等を与えることができる。
【０００８】
前記商品陳列用具は、好ましくは、前記本体に折り畳み可能に取り付けられた脚であって前記本体を前記載置部の両平坦面が水平をなすように支持する脚を含む。これによれば、商品を店舗内の比較的高い位置に陳列する場合、商品を水平方向へ陳列すること（水平陳列）により、購買客の視線の方向と商品の陳列方向とのなす角度を比較的小さいものとすることができ、これにより、商品に付された商品情報の視認をより容易なものとすることができる。
【０００９】
前記商品陳列用具は、前記本体の載置部に解除可能に取り付けられ両平坦面上をこれらの伸長方向へ伸びる少なくとも１つの仕切板を含むものとすることができる。これによれば、前記本体の両平坦面が規定する商品陳列スペースを、商品の大きさにより適合させ、両平坦面の伸長方向に直交する横方向への前記商品の移動を制限し、商品配列をより整然としたものとすることができる。
【００１０】
前記本体の載置部は両平坦面の段差を規定しかつ両平坦面を相互に接続する接続面を有し、前記接続面が各平坦面に対して直交しているものとすることができる。また、前記本体の基台部が前記載置部の両平坦面に対してそれぞれ１５度の角度をなす底面を有するものとすることができる。
【００１１】
前記本体の載置部は、２つの前記商品陳列用具を互いに隣接するように配置するとき、互いに当接可能である側面を有するものとすることができる。これによれば、複数の商品陳列用具をこれらの本体の載置部の側面が互いに当接するように並べて配置することができ、これにより、前記商品が載置される両平坦面が規定する商品陳列スペースをより広いものとし、また、商品を両商品陳列用具に跨った状態で配置することが可能である。
【図面の簡単な説明】
【００１２】
【図１】商品陳列用具の分解斜視図である。
【図２】商品陳列用具をその本体の基台部の底面側から見た斜視図である。
【図３】本体の載置部の両平坦面が１つの仕切板により仕切られ、また、本体が脚により支持された状態にある商品陳列用具の斜視図である。
【図４】本体の載置部の両平坦面が２つの仕切板により仕切られ、また、本体が脚により支持された状態にある商品陳列用具の斜視図である。
【図５】本体の載置部の側面を接して並べて配置され、また、本体が脚により支持された状態にある２つの商品陳列用具の斜視図である。
【図６】異なる態様で設置された２つの商品陳列用具の概略的な側面図である。
【考案を実施するための形態】
【００１３】
図１及び図２を参照すると、本考案の一実施形態に係る商品陳列用具が全体に符号１０で示されている。
【００１４】
商品陳列用具１０は、全体に扁平状を呈する、したがって互いに相対する正面及び背面を有する商品１２（図６）、例えば包装されたおにぎりをコンビニエンスストアのような店舗において陳列するために用いられる。おにぎりの正面には、通常、銘柄のような商品情報が記載されたラベルが付されている。商品陳列用具１０は、前記店舗内の商品陳列台１４（図６）上や冷ケース（図示せず）内に設置される。商品陳列用具１０は、前記おにぎりの他、例えば月餅、煎餅等の菓子のような商品の陳列に適する。
【００１５】
商品陳列用具１０は本体１６を含み、好ましくはさらに脚１８を含み、さらに好ましくは少なくとも１つの仕切板２０を含む。本体１６は載置部２２と、載置部２２下にあってこれに連なる基台部２４とを備える。
【００１６】
本体１６の載置部２２は、段差をおいて同方向へ伸びる２つの平坦面２６、２８を有する。各平坦面２６、２８上に、複数の商品１２をこれらの商品が各平坦面２６、２８の伸長方向ｄへ互いに重なり合うように載置することができる（図６参照）。互いに重なり合う２つの商品１２はこれらの正面及び背面において互いに接する。図示の例において、各平坦面２６、２８は矩形の平面形状を有する。各平坦面２６、２８は、一例として、伸長方向ｄへ４つのおにぎりを１列に並べることができる伸長方向長さと、伸長方向ｄに直交する横方向へ３列に並べることができる横方向長さとを有する。
【００１７】
図示の載置部２２は、両平坦面２６、２８の前記段差を規定しかつ両平坦面２６、２８を相互に接続する接続面３０を有する。図示の載置部２２は、クランク形に折れ曲がって伸びる板体により形成されており、接続面３０は板面からなる。接続面３０は、各平坦面２６、２８に対して直交している。但し、各平坦面２６、２８と接続面３０との交差角度を９０度以外の他の角度に設定してもよい。接続面３０の高さ寸法は、おにぎりを商品１２とする図示の例において、約４０ｍｍである。両平坦面２６、２８の前記段差を規定するものとして、接続面３０に代えて、例えば、互いに間隔をおいて配置され両平坦面２６、２８の一方から他方へ伸びる複数の棒状体（図示せず）とすることができる。
【００１８】
本体１６は、好ましくは、載置部２２に連なりかつ両平坦面２６、２８の上方へ立ち上がる２つの板状部３２、３４を有する。両板状部３２、３４は、それぞれ、載置部２２の両平坦面２６、２８の伸長方向ｄにおける先端に位置する。両板状部３２、３４の両平坦面２６、２８に対するそれぞれの立ち上がり角度すなわち交差角度は任意に定めることができるが、好ましくは９０度である。したがって、図示の例において、両板状部３２、３４は接続面３０と平行に前記横方向へ伸びている。両板状部３２、３４は、それぞれ、商品１２が両平坦面２６、２８上からこれらの伸長方向ｄに向けて落下することを防止する。
【００１９】
図示の基台部２４は全体に袴状を呈する（図２参照）。基台部２４は載置部２２の両平坦面２６、２８に対してそれぞれ角度α（図１）をなす底面３６を有する。したがって、基台部２４の底面３６が水平面上に置かれるとき、載置部２２の両平坦面２６、２８がそれぞれ水平面に対して角度αをなして傾斜する。角度αは例えば１５度に設定することができる。商品陳列用具１０は、これが商品陳列台１４（図６）上や前記冷ケース内に設置されるとき、通常、載置部２２の一方の平坦面２６と他方の平坦面２８とが購買客Ｐに対してその手前側及び奥側にそれぞれ位置するようにされる。
【００２０】
これによれば、図６に示すように、例えば同種類の複数の商品１２を、購買客Ｐの手前側から奥側に向けて下方に傾斜する載置部２２の両平坦面２６、２８上に、それぞれ、これらの伸長方向ｄに列をなして伸びるように陳列すること（傾斜陳列）ができる。この傾斜陳列は、特に、商品１２が比較的低位に配置され、このため商品１２に対する購買客Ｐの視線Ｓ１が比較的下方に向けられる場合に適する。商品１２が載置される載置部２２の両平坦面２６、２８相互間には前記段差があるため、購買客Ｐは、その手前側の一方の平坦面２６上の商品１２の正面及び奥側の他方の平坦面２８上の商品の正面の一部を見易く、このため、商品１２の正面に付された商品情報の識別を容易に行うことができる。なお、載置部２２が板状部３２、３４を有しない商品陳列用具１０による前記傾斜陳列を行うときは、例えば載置部２２の平坦面２８上に位置する最奥部の商品１２が壁３８（図６参照）に当たるようにする。これにより、複数の商品１２が平坦面２８上から脱落することを防止することが可能である。
【００２１】
また、各平坦面２６、２８は、該平坦面上における商品１２の滑動を可能とする。このため、各平坦面２６、２８における前記奥側から手前側への商品１２の滑動により、商品１２の前出し及び新たな商品１２の補充のためのスペースの確保を比較的容易に行うことができる。
【００２２】
図２に示すように、脚１８は、本体１６に折り畳み可能に取り付けられている。図示の例にあっては、脚１８は全体にコ字形を呈する金属製の棒体からなる。脚１８は直角に折り曲げられた両先端部１８ａを有し、両先端部１８ａにおいて、前記横方向へ伸びる軸線の周りに揺動可能であるように載置部２２に取り付けられている。脚１８は、袴状の基台部２４が規定する空間内にあって載置部２２に接する折り畳みの状態（図２に示す状態）から、前記軸線の周りに揺動させることにより起立した状態（図６参照）とすることができる。図示の例では、載置部２２に、脚１８の揺動範囲を規定しその起立状態を維持するための脚１８に対する一対のストッパ４０が設けられている。起立状態におかれた脚１８は、本体１６を、載置部２２の両平坦面２６、２８がそれぞれ水平をなしかつ下位及び上位にそれぞれ位置するように支持する（図６参照）。これによれば、例えば同種類の複数の商品を載置部２２の互いに平行な両平坦面２６、２８上に、それぞれ、これらの伸長方向ｄに列をなして伸びるように陳列すること（水平陳列）ができる。
【００２３】
前記水平陳列は、特に、商品１２が比較的上位に配置され、このため商品１２に対する購買客Ｐの視線Ｓ２（図６）が比較的緩やかな斜め下方に向けられる場合に適する。また、段差をおいた上下２つの平坦面２６、２８を水平に支持するときは、購買客Ｐに対して、両平坦面２６，２８上に陳列される商品１２の量に多さを感じさせるボリューム感や、賑やかさ等を与えることができる。
【００２４】
仕切板２０は、本体１６の載置部２２に解除可能に取り付けられ両平坦面２６、２８上をこれらの伸長方向ｄへ伸びる。図示の例においては、５つの仕切板２０が取り付け可能とされている。図１、図３及び図４には、それぞれ、２つの仕切板２０、３つの仕切板２０及び５つの仕切板２０が取り付けられる例が示されている。図１に示す例にあっては、２つの仕切板２０が載置部２２の前記横方向における両端近傍にそれぞれ配置されている。図３に示す例にあっては、載置部２２の両端近傍に加えて、載置部２２の前記横方向における中間にさらに１つの仕切板２０が配置されている。また、図４に示す例にあっては、載置部２２の両端近傍に加えて、載置部２２を前記横方向に３等分する位置にさらに２つの仕切板２０が配置されている。仕切板２０の取り付けにより、載置部２２の両平坦面２６、２８が規定する商品陳列スペースを、商品１２の大きさにより適合させ、両平坦面２６、２８の前記横方向への商品１２の移動を制限し、商品配列をより整然としたものとすることができる。
【００２５】
図示の仕切板２０は全体にクランク形を呈し、載置部２２の平坦面２６、接続面３０及び平坦面２８に沿って伸びている。図示の例にあっては、載置部２２への各仕切板２０の取り付けのために、仕切板２０の両端部をそれぞれ受け入れ可能である２つの受入溝４０、４２と、平坦面２８及び接続面３０に跨ってＬ形に伸びる、仕切板２０の中間部を受け入れ可能である受入溝４４とが、それぞれ、両板状部３２、３４と載置部２２とに設けられている。
【００２６】
図５に示すように、本体１６の載置部２２は、２つの商品陳列用具１０を互いに隣接するように配置するとき、互いに当接可能である側面４６を有するものとすることができる。これによれば、複数の商品陳列用具１０をこれらの本体１６の載置部２２の側面４６が互いに当接するように並べて配置することができ、これにより、商品１２が載置される両平坦面２６，２８が規定する商品陳列スペースをより広いものとし、また、商品１２を両商品陳列用具１０に跨った状態で配置することができる。
【符号の説明】
【００２７】
１０  商品陳列用具
１２  商品
１６  本体
１８  脚
２０  仕切板
２２  載置部
２４  基台部
２６、２８  平坦面
３０  接続面
３２、３４  板状部
３６  底面
４０、４２、４４  受入溝
４６  側面
【図１】
0003206414.tif 000003
【図２】
0003206414.tif 000004
【図３】
0003206414.tif 000005
【図４】
0003206414.tif 000006
【図５】
0003206414.tif 000007
【図６】
0003206414.tif 000008